(57)【要約】【課題】複数の公共トイレにおいて、洗面台の利用者に情報提供を可能とするとともに、自動水栓及びソープ・ディスペンサについて、インターネットを介して監視又は操作されることにより、メンテナンス作業員に必要とされる労力を大幅に削減することができるとともに、消費される水道水量を大幅に削減することができる洗面システム及びそれを用いた広告提供システムを提供する。【解決手段】自動水栓とソープ・ディスペンサと映像情報をインターネットを介して受信して表示するデジタル・サイネージとそれらを制御する制御基板とをそれぞれ有する複数の洗面台と、それぞれの洗面台の制御基板にインターネットを介して接続するクラウド・サーバと、クラウド・サーバにインターネットを介して接続する管理者端末と、クラウド・サーバからインターネットを介して通知を受けるソープ液販売業者端末と、を備える洗面システム。【選択図】図１
2019153071.tif 000002
【特許請求の範囲】
【請求項１】
自動で吐水状態を変更する自動水栓と、自動でソープ液を吐出するソープ・ディスペンサと、所定のコンテンツ・サーバから映像情報をインターネットを介して受信し映像情報を洗面台利用者に対して表示するデジタル・サイネージと、自動水栓、ソープ・ディスペンサ及びデジタル・サイネージを制御する制御基板と、をそれぞれ有する複数の洗面台と、複数の洗面台のそれぞれの洗面台の制御基板にインターネットを介して接続するクラウド・サーバと、クラウド・サーバにインターネットを介して接続する管理者端末と、クラウド・サーバからインターネットを介して通知を受けるソープ液販売業者端末と、を備える洗面システムであって、
それぞれの洗面台において、自動水栓とソープ・ディスペンサとデジタル・サイネージとは、制御基板に電気的に接続され、
制御基板は、
自動水栓の吐水状態の変更を行うために管理者が管理者端末を用いて指示する吐水状態変更操作指示をクラウド・サーバを介して受信し、さらに、自動水栓に吐水状態変更操作指示を送信し、
自動水栓から吐水状態の情報を受信し、ソープ・ディスペンサからソープ液の残量の情報を受信し、デジタル・サイネージから洗面台利用者に関する距離の情報を受信し、
所定の時間、吐水状態の情報、残量の情報及び距離の情報を蓄積し、蓄積した吐水状態の情報、残量の情報及び距離の情報を所定の時間毎にクラウド・サーバに送信し、
デジタル・サイネージから受信した距離の情報に応じて、映像モードを切り替えるように指示する映像モード切替指示をデジタル・サイネージに送信し、
クラウド・サーバは、情報処理部とコンテンツ制御部とを有し、
情報処理部は、
それぞれの洗面台の制御基板から蓄積された吐水状態の情報、残量の情報及び距離の情報を所定の時間毎に受信し、
それぞれの洗面台の吐水状態の情報から、当該洗面台の利用者数を算出するとともに、それぞれの洗面台の吐水状態の情報と残量の情報と距離の情報と算出された利用者数とを集計する集計部と、
集計部に集計された吐水状態の情報及び距離の情報からそれぞれの洗面台の自動水栓の故障判定を行うとともに、集計部に集計された残量の情報から複数の洗面台のうちのソープ液の補充が必要なソープ・ディスペンサを有する洗面台を特定する判定部と、
を有し、
集計部に集計された吐水状態の情報と残量の情報と利用者数とを管理者端末に送信し、判定部に故障判定された自動水栓を管理者端末に通知し、判定部に判定されたソープ液の補充が必要なソープ・ディスペンサを有する洗面台の場所をソープ液販売業者端末に通知し、
管理者端末から受信した吐水状態変更操作指示を制御基板に送信し、
コンテンツ制御部は、
インターネットを介して接続される管理者端末に入力されて管理され、デジタル・サイネージがどの所定のコンテンツ・サーバに格納される映像情報をリクエストすべきか指定するＵＲＬ指定情報を有し、
デジタル・サイネージから受信するコンテンツ・サーバ問合せに応じて、ＵＲＬ指定情報に基づき、指定されたコンテンツ・サーバにデジタル・サイネージが映像情報リクエストを送信するよう指示する映像情報リクエスト指示をデジタル・サイネージに送信し、
管理者端末は、
クラウド・サーバから送信された情報に基づいて、それぞれの洗面台について、又は、所定の条件に適合する洗面台について、吐水状態の情報と残量の情報と利用者数の情報とを管理者に閲覧可能に表示し、
クラウド・サーバから通知された情報に基づいて、故障判定された自動水栓を有する洗面台について、警告を表示し、
クラウド・サーバから送信又は通知された情報に関する自動水栓について、又は、所定の条件に適合する自動水栓について、管理者が吐水状態の変更を行うための操作を行うことによって、吐水状態変更操作指示をクラウド・サーバに送信し、
ソープ液販売業者端末は、クラウド・サーバから通知された情報に基づいて、ソープ液の補充が必要と判定されたソープ・ディスペンサを有する洗面台の場所をソープ液販売業者に閲覧可能に表示し、
自動水栓は、水栓制御部と、水栓制御部に電気的に接続する比例制御電磁弁と、水栓制御部に電気的に接続する流量センサと、を有し、
水栓制御部は、自動水栓の吐水状態の制御を行うとともに、制御基板から受信した流量変更操作指示に基づき、比例制御電磁弁を制御し、
比例制御電磁弁は、自動水栓の吐水／止水の切替又は吐水量の変更を行い、
流量センサは、自動水栓の吐水量を感知し、感知した吐水量の情報を含む吐水状態の情報を制御基板に出力し、
ソープ・ディスペンサは、ソープ液貯蔵部と残量感知部とを有し、
ソープ液貯蔵部は、ソープ・ディスペンサから吐出するソープ液を貯蔵し、
残量感知部は、ソープ液貯蔵部に貯蔵されるソープ液の残量を感知し、感知した残量の情報を制御基板に出力し、
デジタル・サイネージは、ディスプレイ部とデジタル・サイネージ制御部と距離センサとを有し、
距離センサは、デジタル・サイネージの近傍に位置する人物までの距離を計測し、計測した距離の情報を制御基板に出力し、
デジタル・サイネージ制御部は、
ディスプレイ部を所定の映像を表示するように制御する映像モードを有し、
制御基板から受信する映像モード切替指示に基づき、どの所定のコンテンツ・サーバに映像情報をリクエストすべきかクラウド・サーバのコンテンツ制御部に問い合わせるコンテンツ・サーバ問合せを送信し、
コンテンツ制御部から受信した映像情報リクエスト指示に基づき、映像情報リクエスト指示に指定されるコンテンツ・サーバに格納される映像情報を受信するための映像情報リクエストを当該コンテンツ・サーバに送信し、
当該コンテンツ・サーバから映像情報を受信し、
受信した映像情報を映像信号に変換してディスプレイ部に送信し、
ディスプレイ部は、映像信号に基づき映像を表示する、
洗面システム。
【請求項２】
自動水栓は、さらに、水栓制御部に電気的に接続し吐水を温める電気温水器と水栓制御部に電気的に接続する温度センサとを有し、
温度センサは、自動水栓の吐水の温度を感知し、感知した温度の情報を含む吐水状態の情報を制御基板に出力し、
水栓制御部は、制御基板から受信した吐水状態変更操作指示に基づき、電気温水器を制御する、請求項１に記載の洗面システム。
【請求項３】
デジタル・サイネージは、
さらに、ハーフ・ミラーを有し、
ハーフ・ミラーとハーフ・ミラーの背面側に位置するディスプレイ部とによりハーフ・ミラーを透過して映像が映し出されるように構成される、請求項１又は請求項２に記載の洗面システム。
【請求項４】
デジタル・サイネージは、２次元コードを表示することが可能であるように構成される、請求項１ないし請求項３に記載の洗面システム。
【請求項５】
請求項１ないし請求項４に記載の洗面システムを用いて、洗面台利用者に広告を提供する広告提供システムであって、
コンテンツ制御部が有するＵＲＬ指定情報に、広告主が提供する映像情報を有するコンテンツ・サーバのＵＲＬを広告主端末を用いて入力可能であるように構成される、広告提供システム。
【発明の詳細な説明】
【技術分野】
【０００１】
本発明は、洗面システム及びそれを用いた広告提供システムに関し、特に、インターネットを介して監視又は操作される洗面システム及びそれを用いた広告提供システムである。
【背景技術】
【０００２】
従来、清掃員又はメンテナンス作業員によるディスペンサーの手動調節を必要とせずにディスペンサーの分配パラメータを変更することを可能にする洗面所のディスペンサー及び製品を計量、監視、及び制御するためのシステム及び方法があった（特許文献１参照）。
【先行技術文献】
【特許文献】
【０００３】
【特許文献１】特許第５０３９９９７号公報
【発明の概要】
【発明が解決しようとする課題】
【０００４】
しかし、特許文献１に記載の発明は、洗面台を構成する自動水栓について、インターネットを介して監視又は操作されるように構成されていない。
【０００５】
例えば、高速道路に併設されるサービスエリア又はパーキングエリアは、全国で約７５０箇所存在するが、１つのサービスエリア又はパーキングエリアに設けられている公共トイレには、自動水栓を備える洗面台が複数台設けられている。したがって、サービスエリア又はパーキングエリアに設けられている公共トイレに限定しても、全国で年間延べ９億９０００万人に利用されているという調査データがあり、膨大な水道水量が消費されている。
【０００６】
従来の公共トイレの洗面台に設けられる自動水栓は、個別に吐水量が調整されるように構成されており、メンテナンス作業員が各公共トイレの洗面台に出向き、１台１台の洗面台の自動水栓の吐水量を調整するという作業が必要であった。
【０００７】
そして、複数の公共トイレに、過剰に吐水されている自動水栓がある場合には、それらの自動水栓の補修に出向くメンテナンス作業員に必要とされる労力が非常に大きいものとなるとともに、必要以上に消費される水道水量も非常に大きいものとなるという問題がある。また、複数の公共トイレの洗面台に設けられる自動水栓が、問題なく稼働しているかどうかを確認する点検作業を、メンテナンス作業員が複数の公共トイレを巡回して行う労力もまた非常に大きいという問題がある。特に、労働人口減少が進み人手不足が更に深刻なものとなる我が国において、これらの問題は、喫緊の課題である。
【０００８】
また、公共トイレの洗面台利用者は、洗面台近傍に一定時間留まっているが、洗面台利用者の意識は、手指を洗浄する行為等にのみ向けられており、情報を入手することのない時間を消費することとなっている。
【０００９】
したがって、本発明は、複数の公共トイレにおいて、洗面台の利用者に情報提供を可能とするとともに、自動水栓及びソープ・ディスペンサについて、インターネットを介して監視又は操作されることにより、メンテナンス作業員に必要とされる労力を大幅に削減することができるとともに、消費される水道水量を大幅に削減することができる洗面システム及びそれを用いた広告提供システムを提供することを目的とする。
【課題を解決するための手段】
【００１０】
この発明に係る洗面システムは、自動で吐水状態を変更する自動水栓と、自動でソープ液を吐出するソープ・ディスペンサと、所定のコンテンツ・サーバから映像情報をインターネットを介して受信し映像情報を洗面台利用者に対して表示するデジタル・サイネージと、自動水栓、ソープ・ディスペンサ及びデジタル・サイネージを制御する制御基板と、をそれぞれ有する複数の洗面台と、複数の洗面台のそれぞれの洗面台の制御基板にインターネットを介して接続するクラウド・サーバと、クラウド・サーバにインターネットを介して接続する管理者端末と、クラウド・サーバからインターネットを介して通知を受けるソープ液販売業者端末と、を備える洗面システムであって、それぞれの洗面台において、自動水栓とソープ・ディスペンサとデジタル・サイネージとは、制御基板に電気的に接続され、制御基板は、自動水栓の吐水状態の変更を行うために管理者が管理者端末を用いて指示する吐水状態変更操作指示をクラウド・サーバを介して受信し、さらに、自動水栓に吐水状態変更操作指示を送信し、自動水栓から吐水状態の情報を受信し、ソープ・ディスペンサからソープ液の残量の情報を受信し、デジタル・サイネージから洗面台利用者に関する距離の情報を受信し、所定の時間、吐水状態の情報、残量の情報及び距離の情報を蓄積し、蓄積した吐水状態の情報、残量の情報及び距離の情報を所定の時間毎にクラウド・サーバに送信し、デジタル・サイネージから受信した距離の情報に応じて、映像モードを切り替えるように指示する映像モード切替指示をデジタル・サイネージに送信し、クラウド・サーバは、情報処理部とコンテンツ制御部とを有し、情報処理部は、それぞれの洗面台の制御基板から蓄積された吐水状態の情報、残量の情報及び距離の情報を所定の時間毎に受信し、それぞれの洗面台の吐水状態の情報から、当該洗面台の利用者数を算出するとともに、それぞれの洗面台の吐水状態の情報と残量の情報と距離の情報と算出された利用者数とを集計する集計部と、集計部に集計された吐水状態の情報及び距離の情報からそれぞれの洗面台の自動水栓の故障判定を行うとともに、集計部に集計された残量の情報から複数の洗面台のうちのソープ液の補充が必要なソープ・ディスペンサを有する洗面台を特定する判定部と、を有し、集計部に集計された吐水状態の情報と残量の情報と利用者数とを管理者端末に送信し、判定部に故障判定された自動水栓を管理者端末に通知し、判定部に判定されたソープ液の補充が必要なソープ・ディスペンサを有する洗面台の場所をソープ液販売業者端末に通知し、管理者端末から受信した吐水状態変更操作指示を制御基板に送信し、コンテンツ制御部は、インターネットを介して接続される管理者端末に入力されて管理され、デジタル・サイネージがどの所定のコンテンツ・サーバに格納される映像情報をリクエストすべきか指定するＵＲＬ指定情報を有し、デジタル・サイネージから受信するコンテンツ・サーバ問合せに応じて、ＵＲＬ指定情報に基づき、指定されたコンテンツ・サーバにデジタル・サイネージが映像情報リクエストを送信するよう指示する映像情報リクエスト指示をデジタル・サイネージに送信し、管理者端末は、クラウド・サーバから送信された情報に基づいて、それぞれの洗面台について、又は、所定の条件に適合する洗面台について、吐水状態の情報と残量の情報と利用者数の情報とを管理者に閲覧可能に表示し、クラウド・サーバから通知された情報に基づいて、故障判定された自動水栓を有する洗面台について、警告を表示し、クラウド・サーバから送信又は通知された情報に関する自動水栓について、又は、所定の条件に適合する自動水栓について、管理者が吐水状態の変更を行うための操作を行うことによって、吐水状態変更操作指示をクラウド・サーバに送信し、ソープ液販売業者端末は、クラウド・サーバから通知された情報に基づいて、ソープ液の補充が必要と判定されたソープ・ディスペンサを有する洗面台の場所をソープ液販売業者に閲覧可能に表示し、自動水栓は、水栓制御部と、水栓制御部に電気的に接続する比例制御電磁弁と、水栓制御部に電気的に接続する流量センサと、を有し、水栓制御部は、自動水栓の吐水状態の制御を行うとともに、制御基板から受信した流量変更操作指示に基づき、比例制御電磁弁を制御し、比例制御電磁弁は、自動水栓の吐水／止水の切替又は吐水量の変更を行い、流量センサは、自動水栓の吐水量を感知し、感知した吐水量の情報を含む吐水状態の情報を制御基板に出力し、ソープ・ディスペンサは、ソープ液貯蔵部と残量感知部とを有し、ソープ液貯蔵部は、ソープ・ディスペンサから吐出するソープ液を貯蔵し、残量感知部は、ソープ液貯蔵部に貯蔵されるソープ液の残量を感知し、感知した残量の情報を制御基板に出力し、デジタル・サイネージは、ディスプレイ部とデジタル・サイネージ制御部と距離センサとを有し、距離センサは、デジタル・サイネージの近傍に位置する人物までの距離を計測し、計測した距離の情報を制御基板に出力し、デジタル・サイネージ制御部は、ディスプレイ部を所定の映像を表示するように制御する映像モードを有し、制御基板から受信する映像モード切替指示に基づき、どの所定のコンテンツ・サーバに映像情報をリクエストすべきかクラウド・サーバのコンテンツ制御部に問い合わせるコンテンツ・サーバ問合せを送信し、コンテンツ制御部から受信した映像情報リクエスト指示に基づき、映像情報リクエスト指示に指定されるコンテンツ・サーバに格納される映像情報を受信するための映像情報リクエストを当該コンテンツ・サーバに送信し、当該コンテンツ・サーバから映像情報を受信し、受信した映像情報を映像信号に変換してディスプレイ部に送信し、ディスプレイ部は、映像信号に基づき映像を表示する、ように構成されている。
【００１１】
この発明によれば、複数の公共トイレにおいて、洗面台の利用者に情報提供を可能とするとともに、自動水栓及びソープ・ディスペンサについて、管理者が管理者端末を用いてインターネットを介して監視又は操作することにより、メンテナンス作業員に必要とされる労力を大幅に削減することができるとともに、消費される水道水量を大幅に削減することができる。
【００１２】
この発明に係る洗面システムは、自動水栓は、さらに、水栓制御部に電気的に接続し吐水を温める電気温水器と水栓制御部に電気的に接続する温度センサとを有し、温度センサは、自動水栓の吐水の温度を感知し、感知した温度の情報を含む吐水状態の情報を制御基板に出力し、水栓制御部は、制御基板から受信した吐水状態変更操作指示に基づき、電気温水器を制御する、ように構成されていてもよい。
【００１３】
この発明によれば、インターネットを介して、管理者が吐水温度を含む吐水状態の情報を管理者端末で監視することができ、管理者が指定する洗面台の自動水栓における吐水温度を管理者端末を用いて操作することができる。これにより、吐水温度が高すぎる自動水栓の吐水温度を下げることができ、消費される電力量を削減することができる。
【００１４】
この発明に係る洗面システムは、デジタル・サイネージは、さらに、ハーフ・ミラーを有し、ハーフ・ミラーとハーフ・ミラーの背面側に位置するディスプレイ部とによりハーフ・ミラーを透過して映像が映し出されるように構成されていてもよい。
【００１５】
この発明によれば、デジタル・サイネージの一部に映像を表示することで、デジタル・サイネージの他の部分が鏡として機能することとなり、洗面台利用者が自身の容姿をデジタル・サイネージで確認することができ、その際に洗面台利用者に情報を提供することができる。
【００１６】
この発明に係る洗面システムは、デジタル・サイネージは、２次元コードを表示することが可能であるように構成されていてもよい。
【００１７】
この発明によれば、デジタル・サイネージのディスプレイ部の表示面積に映像として表示することができる情報を超える情報を洗面台利用者に提供することができる。例えば、ある商品の広告表示を見た洗面台利用者が、当該商品についてより詳しい情報を得たいと考えた場合に、スマート・フォンで、当該商品の商品情報を掲載するＷＥＢサイトのＵＲＬを２次元コードから読み取ることにより、洗面台利用者は、その場ですぐに、当該商品の商品情報を入手することができる。
【００１８】
この発明に係る広告提供システムは、前記洗面システムを用いて、洗面台利用者に広告を提供する広告提供システムであって、コンテンツ制御部が有するＵＲＬ指定情報に、広告主が提供する広告に係る映像情報を有するコンテンツ・サーバのＵＲＬを広告主端末を用いて入力可能であるように構成されていてもよい。
【００１９】
この発明によれば、広告主は、自らが所望する広告を洗面台利用者に提供するために、クラウド・サーバが有するコンテンツ制御部が有するＵＲＬ指定情報に、当該広告に係る映像情報を有するコンテンツ・サーバを指定するＵＲＬを入力することができる。そのため、この発明によれば、例えば、入札制により複数の広告主から特定の広告主を選定し、当該広告主が所望する広告を提供することができることとなり、本発明に係る広告提供システムを管理する管理者は、当該広告主から広告料を得ることができる。
【発明の効果】
【００２０】
したがって、本発明に係る洗面システム及びそれを用いた広告提供システムによれば、複数の公共トイレにおいて、洗面台の利用者に広告を含む情報提供を可能とするとともに、自動水栓及びソープ・ディスペンサについて、インターネットを介して監視又は操作されることにより、メンテナンス作業員に必要とされる労力を大幅に削減することができるとともに、消費される水道水量を大幅に削減することができる。
【図面の簡単な説明】
【００２１】
【図１】本発明に係る洗面システム及びそれを用いた広告提供システムの概略的な構成を示した図である。
【図２】本発明に係る洗面台の公共トイレにおける使用状態を示す斜視図である。
【図３】本発明に係る洗面台の正面図である。
【図４】本発明に係る洗面台の側面図である。
【図５】本発明に係る制御基板におけるデジタル・サイネージとの関係での処理フローを示した図である。
【図６】本発明に係るクラウド・サーバが有する集計部において距離の情報を集計する処理フローを示した図である。
【図７】本発明に係るクラウド・サーバが有する集計部において吐水状態の情報のうちの温度の情報を集計する処理フローを示した図である。
【図８】本発明に係るクラウド・サーバが有する集計部において吐水状態の情報のうちの吐水量の情報を集計するとともに吐水量の情報に基づいて自動水栓の利用者数を算出する処理フローを示した図である。
【図９】本発明に係るクラウド・サーバが有する判定部において洗面台に関して各センサからの情報に基づいて故障判定するためのアルゴリズムを示した図である。
【図１０】本発明に係るクラウド・サーバが有する判定部においてソープ・ディスペンサからのソープ液の残量の情報に基づいてソープ液の残量に関する警告を通知する処理フローを示した図である。
【図１１】本発明に係るクラウド・サーバが有するコンテンツ制御部においてデジタル・サイネージからのコンテンツ・サーバ問合せに対してＵＲＬを指定するためのＵＲＬ指定情報を示す図である。
【図１２】本発明に係るデジタル・サイネージが有するデジタル・サイネージ制御部において制御基板からの映像モード切替指示に基づいて映像を切り替える処理フローを示した図である。
【図１３】本発明に係る管理者端末において、特定の洗面台に関して、集計された吐水状態の情報を表示する画面及び吐水状態を操作するための画面の一例を示す図である。
【図１４】本発明に係る管理者端末において、特定の公共トイレに関して、集計された吐水状態の情報を表示する画面の一例を示す図である。
【図１５】本発明に係る管理者端末において、全ての公共トイレに関して、集計された吐水状態の情報を表示する画面の一例を示す図である。
【図１６】本発明に係る管理者端末において、特定の洗面台に関して、故障判定された機器について送信された警告に係る警告表示の画面の一例を示す図である。
【発明を実施するための形態】
【００２２】
以下、本発明の実施形態に係る洗面システム及びそれを用いた広告提供システムについて、図を参照して説明する。
図１は、本発明に係る洗面システム及びそれを用いた広告提供システムの概略的な構成を示した図である。図２は、本発明に係る洗面台の公共トイレにおける使用状態を示す斜視図である。図３は、本発明に係る洗面台の正面図である。図４は、本発明に係る洗面台の側面図である。
なお、本明細書において、「吐水状態の情報」とは、自動水栓における吐水量の情報と吐水の温度の情報とを含む情報である。また、「吐水状態の変更」とは、自動水栓において、吐水／止水の切替、吐水量の変更又は吐水の温度の変更を行うことである。「映像情報」とは、動画情報、静止画情報又は文字情報等のディスプレイに映像又は画像として表示することのできる情報である。「コンテンツ・サーバ」とは、インターネットに接続されているサーバであって、映像情報を提供するサーバである。「管理者」とは、洗面システム又はそれを用いた広告提供システムを管理することのできる自然人又は法人であって、洗面システム若しくはそれを用いた広告提供システムの所有者又は公共トイレのメンテナンス作業員若しくはメンテナンス事業者である。「電気的な接続」とは、有線もしくは無線による電気的な通信接続又は電源を供給する手段による接続である。また、インターネット上での通信、指示又は情報のやり取りは、ＨＴＴＰを利用して行われている。
【００２３】
（洗面システム）
図１及び図２に示すように、洗面システム１は、複数の洗面台１０とクラウド・サーバ７０と管理者端末８０とソープ液販売業者端末９０とを備える。広告提供システム２は、後述する。以下、洗面システム１のそれぞれの構成要素について、詳述する。
【００２４】
複数の洗面台１０は、複数の公共トイレＰＴ（そのうちの１つが図２に示される公共トイレＰＴである）に設けられている洗面台１０である。複数の洗面台１０は、管理者端末８０によって、インターネットを介して監視又は操作される。複数の洗面台１０は、自動で吐水状態を変更する自動水栓２０と、自動でソープ液を吐出するソープ・ディスペンサ３０と、所定のコンテンツ・サーバから映像情報ｉｉをインターネットを介して受信し映像情報ｉｉを洗面台利用者に対して表示するデジタル・サイネージ４０と、自動水栓２０、ソープ・ディスペンサ３０及びデジタル・サイネージ４０を制御する制御基板５０と、をそれぞれ有する。それぞれの洗面台１０において、自動水栓２０とソープ・ディスペンサ３０とデジタル・サイネージ４０とは、制御基板５０に電気的に接続されている。
【００２５】
自動水栓２０は、公共トイレＰＴで一般的に用いられているものであり、吐水口近傍に手指を近づけると、ハンドセンサ（図示しない）が感知して、吐水を開始し、手指の洗浄を可能とするものである。自動水栓２０は、水栓制御部２２と、水栓制御部２２に電気的に接続し吐水を温める電気温水器２３と、水栓制御部２２に電気的に接続する温度センサ２４と、水栓制御部２２に電気的に接続する比例制御電磁弁２５と、水栓制御部２２に電気的に接続する流量センサ２６と、を有する。水栓制御部２２は、自動水栓２０を制御する制御機構であり、自動水栓２０の吐水状態すなわち吐水／止水の切替、吐水量及び吐水の温度の制御を行うとともに、制御基板５０から受信した後述する吐水状態変更操作指示に基づき、電気温水器２３と比例制御電磁弁２５とを制御する。また、水栓制御部２２は、ハンドセンサ（図示しない）に基づき、自動水栓２０の吐水／止水の切替を制御する。電気温水器２３は、水栓制御部２２からの指示に基づきＯＮ／ＯＦＦ制御又は比例制御によって、自動水栓２０からの吐水を温め温度を変更するものである。温度センサ２４は、自動水栓２０の吐水の温度を感知し、感知した温度の情報を含む吐水状態の情報を制御基板５０に出力する。比例制御電磁弁２５は、水栓制御部２２に比例制御されて、自動水栓２０の吐水／止水の切替又は吐水量の変更を可能とする電磁弁である。比例制御電磁弁２５は、電磁弁が開状態であるか閉状態であるかについて感知することができ、開閉状態の情報を制御基板５０に出力する。流量センサ２６は、自動水栓２０の吐水量を感知し、感知した吐水量の情報を含む吐水状態の情報を制御基板５０に出力する。
【００２６】
ソープ・ディスペンサ３０は、公共トイレＰＴで一般的に用いられているものであり、ソープ液の吐出口近傍に手指を近づけると、ハンドセンサ（図示しない）が感知して、ソープ液を一定量吐出し、手指の洗浄を可能とするものである。ソープ・ディスペンサ３０は、ソープ液貯蔵部３２と残量感知部３４とを有する。ソープ液貯蔵部３２は、ソープ・ディスペンサ３０から吐出するためのソープ液を貯蔵するものである。残量感知部３４は、ソープ液貯蔵部３２に貯蔵されるソープ液の残量を感知し、感知した残量の情報を制御基板５０に出力する。残量感知部３４は、例えば、重量センサとして利用されるＦｏｒｃｅ  Ｓｅｎｓｉｎｇ  Ｒｅｓｉｓｔｏｒであり、ソープ液貯蔵部３２の底面に敷かれて、ソープ液貯蔵部３２の重量を感知することによりソープ液の残量を感知するものである。
【００２７】
デジタル・サイネージ４０は、映像表示を可能とするディスプレイ部を有し、ディスプレイ部に表示される映像を利用者に提供することによって、利用者に情報を提供するものである。デジタル・サイネージ４０は、ディスプレイ部４２とデジタル・サイネージ制御部４４と距離センサ４６とを有する。ディスプレイ部４２は、例えば、液晶ディスプレイであり、映像信号を映像に変換することが可能であり、デジタル・サイネージ制御部４４からの映像信号に基づき映像を表示する。デジタル・サイネージ制御部４４は、ディスプレイ部４２を所定の映像を表示するように制御する映像モードｉｍを有する。映像モードｉｍは、ＣＭモードｃｍとスクリーンセーバ・モードｓｍとを含む。デジタル・サイネージ制御部４４は、後述する制御基板５０から受信する映像モード切替指示ｉｍｃｉに基づき、どの所定のコンテンツ・サーバに映像情報ｉｉをリクエストすべきかを後述するクラウド・サーバ７０のコンテンツ制御部７８に問い合わせるコンテンツ・サーバ問合せｃｓｒを送信する。ここで、所定のコンテンツ・サーバとは、インターネットに接続されているコンテンツ・サーバであって、クラウド・サーバ５０のコンテンツ制御部７８において指定されるコンテンツ・サーバである。またここで、映像モード切替指示ｉｍｃｉは、ＣＭモード切替指示ｃｍｃｉとスクリーンセーバ・モード切替指示ｓｍｃｉとを含む。デジタル・サイネージ制御部４４は、コンテンツ制御部７８から受信した後述する映像情報リクエスト指示ｉｉｒｉに基づき、映像情報リクエスト指示ｉｉｒｉにおいて指定されるＵＲＬにおけるコンテンツ・サーバに格納される映像情報ｉｉを受信するための映像情報リクエストｉｉｒを当該コンテンツ・サーバに送信する。デジタル・サイネージ制御部４４は、当該コンテンツ・サーバから映像情報ｉｉを受信し、受信した映像情報ｉｉを映像信号に変換してディスプレイ部４２に送信する。ここで、映像情報リクエスト指示ｉｉｒｉは、後述するように、ＣＭモードｃｍ又はスクリーンセーバ・モードｓｍに対応して、デジタル・サイネージ制御部４４が映像情報ｉｉをリクエストすべきコンテンツ・サーバのＵＲＬを指定して、デジタル・サイネージ制御部４４に映像情報リクエストｉｉｒを当該コンテンツ・サーバに送信するように指示するものである。これにより、デジタル・サイネージ制御部４４は、当該コンテンツ・サーバに映像情報リクエストｉｉｒを送信し、当該コンテンツ・サーバが映像情報リクエストｉｉｒに対応する映像情報ｉｉをデジタル・サイネージに送信することで、当該コンテンツ・サーバから映像情報ｉｉを受信することができる。デジタル・サイネージ制御部４４は、受信した映像情報ｉｉをメモリに格納して、次の映像モード切替指示ｉｍｃｉを受信するまで、映像情報ｉｉを映像信号に変換してディスプレイ部４２に映像信号を送信し続ける。ディスプレイ部４２は、受信した映像信号を映像として表示する。
距離センサ４６は、例えば、赤外線による三角測距方式のものであり、また例えば、タイム・オブ・フライト方式のものであってもよい。距離センサ４６は、デジタル・サイネージ４０の近傍に位置する人物であって洗面台１０の利用者までの距離を計測し、計測した距離の情報を制御基板５０に出力する。距離センサ４６は、例えば、図３に示すように、洗面カウンタの前面に、設けられている。
【００２８】
デジタル・サイネージ４０は、さらに、ハーフ・ミラー４ｈｍを有し、ハーフ・ミラー４ｈｍとハーフ・ミラー４ｈｍの背面側に位置するディスプレイ部４２とによりハーフ・ミラー４ｈｍを透過して映像が映し出されるように構成されている。これにより、例えば、広告モードｃｍにおいて、広告表示をディスプレイ部４２の下部に行うことで、ディスプレイ部４２の上部は、鏡として利用されることができる。すなわち、洗面台１０の利用者が、デジタル・サイネージ４０に近づいた際には、ディスプレイ部４２は、鏡として機能すると同時に、利用者の視界に広告としての映像を提供することができる。
【００２９】
デジタル・サイネージ４０は、２次元コードを表示することが可能であるように構成されている。例えば、２次元コードであるＱＲコード（登録商標）は、ＣＭモードｃｍにおけるディスプレイ部４２の映像に合わせて表示され、当該商品又は役務についてより詳細な情報を提供する映像情報を有するコンテンツ・サーバのＵＲＬが符号化されている。これにより、洗面台利用者は、当該映像に示されていた広告に係る商品又は役務について、ＱＲコード（登録商標）をスマート・フォン等で読み取ることで、ＱＲコード（登録商標）を通じて、当該商品又は役務についてより詳細な情報を提供する映像情報を有するコンテンツ・サーバのＵＲＬを入手することができる。
【００３０】
制御基板５０は、洗面台１０の各構成要素とクラウド・サーバ５０との間の通信、指示又は情報のやりとりにおける中継を担うものであるとともに、デジタル・サイネージ４０の映像モードｉｍを距離センサ４６からの距離の情報に応じて変更する映像モード切替指示ｉｍｃｉをデジタル・サイネージ４０に行うものである。制御基板５０は、例えば、５Ｖの電圧で稼働し、８ｂｉｔのＣＰＵを主とし、８ｋｂのＲＡＭを搭載するものである。
【００３１】
制御基板５０は、自動水栓２０から吐水状態の情報を受信し、ソープ・ディスペンサ３０からソープ液の残量の情報を受信し、デジタル・サイネージ４０から洗面台利用者に関する距離の情報を受信する。そして、制御基板５０は、所定の時間例えば１０秒間、吐水状態の情報、残量の情報及び距離の情報をメモリに蓄積し、蓄積した吐水状態の情報、残量の情報及び距離の情報を所定の時間毎にクラウド・サーバ７０に送信する。後述するように、クラウド・サーバ７０は、集計された吐水状態の情報、残量の情報及び距離の情報を管理者端末８０に送信することで、管理者は、それぞれの洗面台１０について、監視し、またそれらの情報に基づいて操作することができる。そして、制御基板５０は、自動水栓２０の吐水状態の変更を行うために管理者が管理者端末８０を用いて指示する吐水状態変更操作指示をクラウド・サーバ７０を介して受信し、さらに、自動水栓２０に吐水状態変更操作指示を送信する。ここで、吐水状態変更操作指示は、自動水栓２０の吐水／止水の切替と吐水量の変更と吐水の温度の変更とを含む管理者が行う操作によって管理者端末８０が発する指示である。
【００３２】
また、制御基板５０は、デジタル・サイネージ４０から受信した距離の情報に応じて、映像モードｉｍを切り替えるように指示する映像モード切替指示ｉｍｃｉをデジタル・サイネージ４０に送信する。この、制御基板５０が距離の情報に応じて映像モード切替指示ｉｍｃｉをデジタル・サイネージ４０に送信する処理フローを、図５に基づいて、次の段落で説明する。
【００３３】
図５に示すように、制御基板５０は、ステップｓ５０１において、映像モード切替指示ｉｍｃｉを送信するための処理を開始する。ステップｓ５０２において、制御基板５０は、距離センサ４６から、距離の情報を受信するまで待機する。ステップｓ５０３において、制御基板５０は、距離センサ４６から、距離の情報を受信する。ステップｓ５０４において、制御基板５０は、距離の情報から、洗面台利用者までの距離が５０ｃｍ未満であるか５０ｃｍ以上であるかを判断する。ステップｓ５０４において、距離が５０ｃｍ未満であれば、フローはステップｓ５０５に進み、ステップｓ５０５において、制御基板５０は、映像モード切替指示ｉｍｃｉのうちのＣＭモード切替指示ｃｍｃｉをデジタル・サイネージ４０に送信する。ステップｓ５０４において、距離が５０ｃｍ以上であれば、フローはステップｓ５０６に進み、ステップｓ５０６において、制御基板５０は、ステップｓ５０２における待機時間が１０秒を超えるか１０秒以下であるかを判断する。ステップｓ５０６において、待機時間が１０秒を超えるのであれば、フローはステップｓ５０７に進み、ステップｓ５０７において、制御基板は、映像モード切替指示ｉｍｃｉのうちのスクリーンセーバ・モード切替指示ｓｍｃｉをデジタル・サイネージ４０に送信する。ステップｓ５０６において、待機時間が１０秒以下であれば、フローはステップｓ５０２の待機に戻る。ステップｓ５０５又はステップｓ５０７の後、フローはステップ５０２の待機に戻る。
【００３４】
クラウド・サーバ７０は、インターネットに接続される物理サーバ又はそれによって提供されるサービスであって、例えば、ＰａａＳ形式のものであってもよく、ＩａａＳ形式のものであってもよい。クラウド・サーバ７０は、制御基板５０から送信された、それぞれの公共トイレＰＴのそれぞれの洗面台１０について、吐水状態の情報、残量の情報及び距離の情報を集計するとともに、それらの情報から洗面台１０の各機器の故障判定を行い、また、集計した各情報及び故障判定された洗面台１０の情報を管理者端末８０に送信又は通知する。さらに、クラウド・サーバ７０は、デジタル・サイネージ４０からの問合せに対して、どの所定のコンテンツ・サーバに映像情報をリクエストするかをデジタル・サイネージ４０に指示する。
【００３５】
クラウド・サーバ７０は、各情報の集計及び故障判定を行う情報処理部７２と、デジタル・サイネージ４０がリクエストする映像情報を制御するコンテンツ制御部７８とを有する。
【００３６】
情報処理部７２は、クラウド・サーバ７０内のアプリケーション・プログラム又は論理回路によって実現される機能の１つである。情報処理部７２は、それぞれの洗面台１０の制御基板５０から蓄積された吐水状態の情報、残量の情報及び距離の情報を所定の時間毎、例えば１０秒間毎に受信する。情報処理部７２は、受信したそれぞれの洗面台１０の吐水状態の情報から、当該洗面台１０の利用者数を算出するとともに、それぞれの洗面台１０の吐水状態の情報と残量の情報と距離の情報と算出された利用者数とを集計する集計部７４と、集計部７４に集計された吐水状態の情報及び距離の情報からそれぞれの洗面台１０の自動水栓２０の故障判定を行うとともに、集計部７４に集計された残量の情報から複数の洗面台１０のうちのソープ液の補充が必要なソープ・ディスペンサ３０を有する洗面台１０を特定する判定部７６と、を有する。
【００３７】
集計部７４が、それぞれの洗面台１０について、洗面台利用者までの距離の情報を集計する処理の処理フローを、図６に基づいて、次の段落で説明する。
【００３８】
図６に示すように、集計部７４は、特定の洗面台１０について、ステップｓ７４１ａにおいて、距離の情報を集計する処理を開始する。ステップｓ７４２ａにおいて、集計部７４は、制御基板５０から蓄積された距離の情報が送信されるまで待機する。ステップｓ７４３ａにおいて、集計部７４は、制御基板５０から送信された距離の情報を受信する。ステップｓ７４４ａにおいて、集計部７４は、距離の情報を記録する。
【００３９】
集計部７４が、それぞれの洗面台１０について、吐水状態の情報のうちの吐水の温度の情報を集計する処理の処理フローを、図７に基づいて、次の段落で説明する。
【００４０】
図７に示すように、集計部７４は、特定の洗面台１０について、ステップｓ７４１ｂにおいて、吐水の温度の情報を集計する処理を開始する。ステップｓ７４２ｂにおいて、集計部７４は、制御基板５０から蓄積された温度の情報が送信されるまで待機する。ステップｓ７４３ｂにおいて、集計部７４は、制御基板５０から送信された温度の情報を受信する。ステップｓ７４４ｂにおいて、集計部７４は、温度の情報を記録する。
【００４１】
集計部７４が、それぞれの洗面台１０について、吐水状態の情報のうちの吐水量の情報を集計する処理と吐水量の情報から洗面台の利用者数を算出する処理との処理フローを、図８に基づいて、次の段落で説明する。
【００４２】
図８に示すように、集計部７４は、特定の洗面台１０について、ステップｓ７４１ｃにおいて、吐水量の情報を集計する処理と吐水量の情報から洗面台の利用者数を算出する処理とを開始する。ステップｓ７４２ｃにおいて、集計部７４は、制御基板５０から蓄積された吐水量の情報が送信されるまで待機する。ステップｓ７４３ｃにおいて、集計部７４は、制御基板５０から送信された吐水量の情報を受信する。ステップｓ７４４ｃにおいて、集計部７４は、吐水量が０を超える値であるか０であるかを判断する。吐水量が０を超える値であれば、フローはステップｓ７４５ｃに進み、ステップｓ７４５ｃにおいて、集計部７４は、吐水量を記録する。ステップｓ７４４ｃにおいて、吐水量が０であれば、フローはステップｓ７４２ｃの待機に戻る。そして、ステップｓ７４５ｃの後、フローはステップｓ７４６ｃに進み、ステップｓ７４６ｃにおいて、今回の吐水量を感知し始めた時刻（今回開始時刻）と前回の吐水量を感知し始めた時刻（前回開始時刻）とを比較し、その時間差が１０秒を超えるか１０秒以内であるかを判断する。今回開始時刻と前回開始時刻との時間差が１０秒を超えるのであれば、フローはステップｓ７４７ｃに進み、ステップｓ７４７ｃにおいて、集計部７４は、その洗面台１０について、利用者数＋１として算出し記録する。ステップｓ７４６ｃにおいて、今回開始時刻と前回開始時刻との時間差が１０秒以内であれば、フローはステップｓ７４８ｃに進む。ステップｓ７４６ｃ又はステップｓ７４７ｃから進んだステップｓ７４８ｃにおいて、集計部７４は、その洗面台１０について、今回開始時刻を記録する。ステップｓ７４８ｃの後、フローはステップｓ７４２ｃの待機に戻る。
なお、ステップｓ７４６ｃにおける判断は、吐水量の情報から、前回開始時刻と今回開始時刻との間の時間が、１０秒を超えるのであれば、別の人物が自動水栓２０を利用したものとして人数を＋１算出するためのものであり、１０秒以内であれば、同一人物が自動水栓２０を利用したものとして人数を＋１算出しないためのものである。
【００４３】
判定部７６が、それぞれの洗面台１０について、自動水栓２０の比例制御電磁弁２５と流量センサ２６とハンドセンサ（図示しない）と、距離センサ４６と、において、集計部７４に集計された吐水状態の情報及び距離の情報から、各機器が故障しているか否かを判定する故障判定を行う処理の故障判定アルゴリズムを、図９に基づいて、次の段落で説明する。
【００４４】
図９に示すように、判定部７６は、比例制御電磁弁２５についての故障判定として、距離センサ４６が距離の情報を出力せず、すなわち、距離センサ４６が人体の存在を感知せず、ハンドセンサが信号を出力せず、すなわち、ハンドセンサが手指の存在を感知せず、さらに、流量センサ２６が０を超える吐水量の情報を出力するのであれば、比例制御電磁弁２５が故障し開状態のままで固定されていると判定する。
判定部７６は、比例制御電磁弁２５についての故障判定として、距離センサ４６が距離の情報を出力し、すなわち、距離センサ４６が人体の存在を感知し、ハンドセンサが信号を出力し、すなわち、ハンドセンサが手指の存在を感知し、さらに、流量センサ２６が０である吐水量の情報を出力するのであれば、比例制御電磁弁２５が故障し閉状態のままで固定されていると判定する。
判定部７６は、流量センサ２６についての故障判定として、比例制御電磁弁２５が開状態の情報を出力し、流量センサが０である吐水量の情報を出力するのであれば、流量センサ２６が故障していると判定する。
判定部７６は、流量センサ２６についての故障判定として、比例制御電磁弁２５が閉状態の情報を出力し、流量センサが０を超える吐水量の情報を出力するのであれば、流量センサ２６が故障していると判定する。
判定部７６は、ハンドセンサについての故障判定として、距離センサ４６が距離の情報を出力し、すなわち、距離センサ４６が人体の存在を感知し、ハンドセンサが信号を出力せず、すなわち、ハンドセンサが手指の存在を感知せず、さらに、流量センサ２６が０を超える吐水量の情報を出力するのであれば、ハンドセンサが故障していると判定する。
判定部７６は、距離センサ４６についての故障判定として、距離センサ４６が距離の情報を出力せず、すなわち、距離センサ４６が人体の存在を感知せず、ハンドセンサが信号を出力し、すなわち、ハンドセンサが手指の存在を感知し、さらに、流量センサ２６が０を超える吐水量の情報を出力するのであれば、距離センサ４６が故障していると判定する。
【００４５】
集計部７４が、それぞれの洗面台１０について、ソープ・ディスペンサ３０のソープ液の残量の情報を集計する処理の処理フローと、判定部７６が、集計部７４に集計された残量の情報から当該ソープ・ディスペンサ３０がソープ液の補充が必要かソープ・ディスペンサであるか否かを判定し残量が補充を必要とする水準を下回るのであれば警告をソープ液販売業者端末に通知する処理の処理フローと、を、図１０に基づいて、次の段落で説明する。
【００４６】
図１０に示すように、集計部７４及び判定部７６は、特定の洗面台１０について、ステップｓ７４１ｄにおいて、ソープ液の残量の情報を集計する処理及び残量が補充を必要とする水準を下回るのであれば警告メールを送信する処理を開始する。ステップｓ７４２ｄにおいて、集計部７４は、制御基板５０から蓄積された残量の情報が送信されるまで待機する。ステップｓ７４３ｄにおいて、集計部７４は、制御基板５０から送信された残量の情報を受信する。ステップｓ７４４ｄにおいて、集計部７４は、残量の情報を記録する。ステップ７６５において、判定部７６は、残量が所定の警告水準を下回っているか所定の警告水準以上であるかを判断する。残量が所定の警告水準を下回っていれば、フローはステップｓ７６７に進み、ステップｓ７６７において、判定部７６は、警告フラグがＯＮであるかＯＦＦであるかを判断する。警告フラグがＯＦＦであれば、フローはステップｓ７６８に進み、ステップｓ７６８において、判定部７６は、警告フラグをＯＮに切り替える処理を行う。ステップｓ７６９において、判定部７６は、残量に関する警告を記録する。ステップｓ７７０において、判定部７６（情報処理部７２）は、残量が所定の警告水準を下回ったことによりソープ液の補充が必要であると判定されたソープ・ディスペンサ３０を有する当該洗面台１０の場所をソープ液販売業者端末９０に警告メールを送信することで通知する。ステップｓ７７０の後、フローはステップｓ７４２ｄの待機に戻る。ステップｓ７６５において、残量が所定の警告水準以上であれば、フローはステップｓ７６６に進み、ステップｓ７６６において、判定部７６は、警告フラグをＯＦＦに切り替える。ステップｓ７６６の後、フローはステップｓ７４２ｄの待機に戻る。ステップｓ７６７において、警告フラグがＯＮであれば、フローは、ステップｓ７４２ｄの待機に戻る。
【００４７】
情報処理部７２は、集計部７４に集計された吐水状態の情報と残量の情報と利用者数とを管理者端末８０に送信する。さらに、情報処理部７２は、判定部７６に故障判定された自動水栓２０を管理者端末８０に通知する。さらに、情報処理部７２は、判定部７６に判定されたソープ液の補充が必要なソープ・ディスペンサ３０を有する洗面台１０の場所をソープ液販売業者端末９０に、例えばメールを送信することで、通知する。さらに、情報処理部７２は、管理者端末８０から受信した吐水状態変更操作指示を制御基板５０に送信する。
【００４８】
コンテンツ制御部７８は、クラウド・サーバ７０内のアプリケーション・プログラム又は論理回路によって実現される機能の１つである。コンテンツ制御部７８は、インターネットを介して接続される管理者端末８０に入力されて管理され、デジタル・サイネージ４０がどの所定のコンテンツ・サーバに格納される映像情報ｉｉをリクエストすべきか指定するＵＲＬ指定情報７９を有する。
【００４９】
ＵＲＬ指定情報７９は、デジタル・サイネージ４０からのコンテンツ・サーバ問合せｃｓｒに対して、デジタル・サイネージ４０の映像モードｉｍに対応してコンテンツ・サーバのＵＲＬを指定するためのリスト情報である。ＵＲＬ指定情報７９は、図１１に示すような、映像モードｉｍとコンテンツ・サーバのＵＲＬとの対応関係が指定されているものであり、例えば、デジタル・サイネージ４０が、ＣＭモードｃｍとなる際には、Ａコンテンツ・サーバのＵＲＬを指定するものであり、スクリーンセーバ・モードｓｍとなる際には、Ｂコンテンツ・サーバのＵＲＬを指定するものである。
【００５０】
コンテンツ制御部７８は、デジタル・サイネージ４０から受信するコンテンツ・サーバ問合せｃｓｒに応じて、ＵＲＬ指定情報７９に基づき、指定されたコンテンツ・サーバ、例えばＡコンテンツ・サーバにデジタル・サイネージ４０が映像情報リクエストｉｉｒを送信するよう指示する映像情報リクエスト指示ｉｉｒｉをデジタル・サイネージ４０に送信する。
【００５１】
ここで、デジタル・サイネージ４０のデジタル・サイネージ制御部４２が、制御基板５０から受信する映像モード切替指示ｉｍｃｉに基づき、インターネットを介して、クラウド・サーバ７０と所定のコンテンツ・サーバとの間で処理を行い、さらにディスプレイ部４２に映像信号を送信するまでの処理フローを、図１２に基づいて、次の段落で説明する。
【００５２】
図１２に示すように、デジタル・サイネージ制御部４２は、ステップｓ４２１において、制御基板５０から受信する映像モード切替指示ｉｍｃｉを受信して映像信号を送信するまでの処理を開始する。ステップｓ４２２において、デジタル・サイネージ制御部４２は、制御基板５０から映像モード切替指示ｉｍｃｉを受信するまで待機する。ステップｓ４２３において、デジタル・サイネージ制御部４２は、制御基板５０から映像モード切替指示ｉｍｃｉすなわちＣＭモード切替指示ｃｍｃｉ又はスクリーンセーバ・モード切替指示ｓｍｃｉを受信する。ステップｓ４２４において、デジタル・サイネージ制御部４２は、受信した映像モード切替指示ｉｍｃｉがＣＭモード切替指示ｃｍｃｉであるかスクリーンセーバ・モード切替指示ｓｍｃｉであるかを判断する。受信した映像モード切替指示ｉｍｃｉがＣＭモード切替指示ｃｍｃｉであれば、フローはステップｓ４２５に進み、ステップｓ４２５において、デジタル・サイネージ制御部４２は、クラウド・サーバ７０のコンテンツ制御部７８に、ＣＭモードｃｍに対応するコンテンツ・サーバ問合せｃｓｒを送信する。ステップｓ４２６において、デジタル・サイネージ制御部４２は、ＣＭモードｃｍに対応する映像情報リクエスト指示ｉｉｒｉを受信する。ステップｓ４２７において、デジタル・サイネージ制御部４２は、受信した映像情報リクエスト指示ｉｉｒｉにおいて指定されているコンテンツ・サーバ、例えばＡコンテンツ・サーバに、映像情報リクエストｉｉｒを送信する。ステップｓ４２８において、デジタル・サイネージ制御部４２は、当該コンテンツ・サーバから映像情報ｉｉを受信する。ステップｓ４２９において、デジタル・サイネージ制御部４２は、受信した映像情報ｉｉを映像信号に変換して、ディスプレイ部４２に送信する。ステップｓ４２９の後、デジタル・サイネージ制御部４２は、受信した映像情報ｉｉを映像信号に変換して、ディスプレイ部４２に送信を続けながら、ステップｓ４２２の待機に戻る。
一方、ステップｓ４２４において、受信した映像モード切替指示ｉｍｃｉがスクリーンセーバ・モード切替指示ｓｍｃｉであれば、フローはステップｓ４３０に進み、ステップｓ４３０において、デジタル・サイネージ制御部４２は、クラウド・サーバ７０のコンテンツ制御部７８に、スクリーンセーバ・モードｓｍに対応するコンテンツ・サーバ問合せｃｓｒを送信する。ステップｓ４３１において、デジタル・サイネージ制御部４２は、スクリーンセーバ・モードｓｍに対応する映像情報リクエスト指示ｉｉｒｉを受信する。ステップｓ４３２において、デジタル・サイネージ制御部４２は、受信した映像情報リクエスト指示ｉｉｒｉにおいて指定されているコンテンツ・サーバ、例えばＢコンテンツ・サーバに、映像情報リクエストｉｉｒを送信する。ステップｓ４３３において、デジタル・サイネージ制御部４２は、当該コンテンツ・サーバから映像情報ｉｉを受信する。ステップｓ４３４において、デジタル・サイネージ制御部４２は、受信した映像情報ｉｉを映像信号に変換して、ディスプレイ部４２に送信する。ステップｓ４３４の後、デジタル・サイネージ制御部４２は、受信した映像情報ｉｉを映像信号に変換して、ディスプレイ部４２に送信を続けながら、ステップｓ４２２の待機に戻る。
【００５３】
管理者端末８０は、洗面システム１又は後述する広告提供システム２の管理者が使用する端末であり、インターネットを介してクラウド・サーバ７０との間で情報又は指示を送受信可能であるとともに閲覧可能であり、かつ、吐水状態を操作可能である端末である。管理者端末８０は、いわゆるパソコンでもよく、また、タブレット端末、例えばｉＰａｄ（登録商標）でもよい。管理者端末８０は、クラウド・サーバ７０から送信された情報に基づいて、それぞれの洗面台１０について、又は、所定の条件に適合する洗面台１０について、吐水状態の情報と残量の情報と利用者数の情報とを管理者に閲覧可能に表示する。
例えば、図１３に示すように、管理者端末８０は、洗面台Ａについて、クラウド・サーバ７０の集計部７４に集計又は算出された、吐水状態の情報すなわち吐水量の情報と吐水の温度の情報と、ソープ液の残量の情報と、利用者数と、を、閲覧可能に表示する。また、管理者端末８０は、吐水量を操作するための操作部が表示されており、操作部を指で左右にスライドするように操作することで、洗面台Ａについて、吐水量を操作することができる。
また、例えば、図１４に示すように、管理者端末８０は、公共トイレＡについて、又は、公共トイレＡに設けられている複数の洗面台１０のそれぞれについて、クラウド・サーバ７０の集計部７４に集計又は算出された、吐水状態の情報すなわち吐水量の情報と吐水の温度の情報と、利用者数と、を、閲覧可能に表示する。
また、例えば、図１５に示すように、管理者端末８０は、管理者が管理する全ての公共トイレＰＴについて、又は、複数の公共トイレＰＴのそれぞれについて、クラウド・サーバ７０の集計部７４に集計又は算出された、吐水状態の情報すなわち吐水量の情報と吐水の温度の情報と、利用者数と、を、閲覧可能に表示する。
【００５４】
管理者端末８０は、クラウド・サーバ７０から通知された情報に基づいて、故障判定された自動水栓２０を有する洗面台１０について、警告を表示する。
例えば、図１６に示すように、管理者端末８０は、洗面台Ａについて、距離センサ４６に異常があれば、クラウド・サーバ７０の判定部７６に故障判定されて管理者端末８０に通知される警告に基づいて、警告画面を表示する。
【００５５】
管理者端末８０は、クラウド・サーバ７０から送信又は通知された情報に関する自動水栓２０について、又は、所定の条件に適合する自動水栓２０について、管理者が吐水状態の変更を行うための操作を行うことによって、吐水状態変更操作指示をクラウド・サーバ７０に送信する。
例えば、図１３に示すように、管理者が、管理者端末８０の画面に表示された一人あたりの吐水量を見て、洗面台Ａの吐水量が多すぎると判断した場合には、吐水量を操作するための操作部を操作することによって、吐水量を減少させることができ、この吐水量を減少させる操作によって、管理者端末８０は、吐水状態変更操作指示をクラウド・サーバ７０に送信する。また、例えば、図１３に示すように、管理者が、管理者端末８０の画面に表示された吐水温度を見て、温度が高すぎると判断した場合には、電気温水器２３の電源のＯＮ／ＯＦＦを切り替えるための操作部を操作することによって、温度を低下させることができ、この電源のＯＮ／ＯＦＦを切り替えるための操作によって、管理者端末８０は、吐水状態変更操作指示をクラウド・サーバ７０に送信する。
【００５６】
ソープ液販売業者端末９０は、洗面システム１のそれぞれの洗面台１０のソープ・ディスペンサ３０に用いられているソープ液の販売業者が使用する端末であり、インターネットを介してクラウド・サーバ７０から通知された情報例えばメールを受信可能であるとともに閲覧可能である端末である。ソープ液販売業者端末９０は、いわゆるパソコンでもよく、また、タブレット端末、例えばｉＰａｄ（登録商標）でもよい。ソープ液販売業者端末９０は、ソープ液販売業者に、クラウド・サーバ７０から通知された情報に基づいて、ソープ液の補充が必要と判定されたソープ・ディスペンサ３０を有する洗面台１０の場所をソープ液販売業者に閲覧可能に表示する。
【００５７】
（作用効果）
洗面システム１によれば、複数の公共トイレＰＴにおいて、洗面台１０の利用者に情報提供例えば広告の提供や交通情報の提供を可能とするとともに、自動水栓２０及びソープ・ディスペンサ３０について、管理者が管理者端末８０を用いてインターネットを介して監視又は操作することにより、メンテナンス作業員に必要とされる労力を大幅に削減することができるとともに、消費される水道水量を大幅に削減することができる。
【００５８】
洗面システム１によれば、自動水栓２０は、水栓制御部２５に電気的に接続し吐水を温める電気温水器２３と水栓制御部２５に電気的に接続する温度センサ２４とを有し、温度センサ２４は、自動水栓２０の吐水の温度を感知し、感知した温度の情報を含む吐水状態の情報を制御基板５０に出力し、水栓制御部２５は、制御基板５０から受信した吐水状態変更操作指示に基づき、電気温水器２３を制御する、ように構成されているので、インターネットを介して、管理者が吐水温度を含む吐水状態の情報を管理者端末８０で監視することができ、管理者が指定する洗面台１０の自動水栓２０における吐水温度を管理者端末を用いて操作することができる。これにより、吐水温度が高すぎる自動水栓２０の吐水温度を下げることができ、消費される電力量を削減することができる。
【００５９】
洗面システム１によれば、デジタル・サイネージ４０は、ハーフ・ミラー４ｈｍを有し、ハーフ・ミラー４ｈｍとハーフ・ミラー４ｈｍの背面側に位置するディスプレイ部４２とによりハーフ・ミラー４ｈｍを透過して映像が映し出されるように構成されているので、デジタル・サイネージ４０の一部に映像を表示することで、デジタル・サイネージ４０の他の部分が鏡として機能することとなり、洗面台利用者が自身の容姿をデジタル・サイネージ４０で確認することができ、その際に洗面台利用者に情報を提供することができる。
【００６０】
洗面システム１によれば、デジタル・サイネージ４０は、２次元コードを表示することが可能であるように構成されているので、デジタル・サイネージ４０のディスプレイ部４２の表示面積に映像として表示することができる情報を超える情報を洗面台利用者に提供することができる。例えば、ある商品の広告表示を見た洗面台利用者が、当該商品についてより詳しい情報を得たいと考えた場合に、スマート・フォンで、当該商品の商品情報を掲載するＷＥＢサイトのＵＲＬを２次元コードから読み取ることにより、洗面台利用者は、その場ですぐに、当該商品の商品情報を入手することができる。
【００６１】
（広告提供システム）
広告提供システム２は、洗面システム１を用いて、洗面台利用者に広告を提供する広告提供システムであって、クラウド・サーバ７０のコンテンツ制御部７８が有するＵＲＬ指定情報７９に、広告主が提供する広告に係る映像情報を有するコンテンツ・サーバのＵＲＬを広告主端末を用いて入力可能であるように構成されている。
【００６２】
例えば、広告主は、広告主端末（図示しない）を用いて、インターネットを介して、クラウド・サーバ７０にアクセス可能である。広告提供システム２は、クラウド・サーバ７０の機能として実装される入札機能を用いて、入札制により複数の広告主から特定の広告主を選定することができる。選定された広告主は、自己が所望する広告に係る映像情報を作成し、当該映像情報を、インターネットに接続される特定のコンテンツ・サーバに格納する。そして、当該広告主は、広告主端末を用いて、当該映像情報を格納するコンテンツ・サーバを指定するＵＲＬを、クラウド・サーバ７０のコンテンツ制御部７８が有するＵＲＬ指定情報に入力する。
【００６３】
（作用効果）
広告提供システム２によれば、広告主は、自らが所望する広告を洗面台利用者に提供するために、クラウド・サーバ７０が有するコンテンツ制御部７８が有するＵＲＬ指定情報７９に、当該広告に係る映像情報ｉｉを有するコンテンツ・サーバを指定するＵＲＬを入力することができる。そのため、広告提供システム２によれば、例えば、入札制により複数の広告主から特定の広告主を選定し、当該広告主が所望する広告を提供することができることとなり、広告提供システム２を管理する管理者は、当該広告主から広告料を得ることができる。
【００６４】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配列等に関して、様々の変更を加えることができるものであり、それらは、本発明に含まれるものである。
【００６５】
（変形例）
例えば、洗面システム１及びそれを用いた広告提供システム２は、以下のような構成を備えていてもよい。
【００６６】
デジタル・サイネージ４０は、さらに、デジタル・カメラ（図示しない）を有する。デジタル・カメラは、単数であっても複数であってもよいが、洗面台利用者の容姿を正面側から捉え、捉えた画像を、鏡像としてディスプレイ部４２に表示する。そして、デジタル・サイネージ４０は、デジタル・カメラが捕らえた画像情報を、インターネットを介して、制御基板５０又はクラウド・サーバ７０に送信する。制御基板５０又はクラウド・サーバ７０は、送信された画像情報から、洗面台利用者の性別や年齢層の情報を抽出することができる。これにより、管理者は、洗面台利用者の利用者分布を把握することができる。また、広告主は、当該洗面台利用者の属性に応じた広告の提供をすることが可能となる。例えば、洗面台利用者が２０代の女性であれば、化粧品の広告を提供し、洗面台利用者が４０代の男性であれば、自動車の広告を提供する、というような広告提供方法を構築することができる。
また、制御基板５０又はクラウド・サーバ７０は、送信された画像情報に加工を施して、ディスプレイ部４２で、洗面台利用者に表示することができる。例えば、公共トイレＰＴがデパートに設置されている場合は、ディスプレイ部４２に表示される洗面台利用者の容姿の画像において、肌のシミ、色合い、目の大きさ、顔の輪郭、体形のバランス等を加工することによって、洗面台利用者に自己の容姿が美しくなったような印象を与えることができる。また例えば、洗面台利用者の肌の状態を分析して、洗面台利用者の肌に適した化粧品の広告を提供することができる。
【００６７】
デジタル・サイネージ４０は、さらに、距離センサ４６からの距離の情報に応じて洗面台１０の周辺の空気に芳香を放出する芳香器（図示しない）を有する。芳香器は、制御基板５０又はクラウド・サーバ７０に接続されている。洗面システム１及びそれを用いた広告提供システム２は、洗面台利用者が所定の距離よりも洗面台１０に接近した際には、制御基板５０又はクラウド・サーバ７０から指示されて、芳香器から芳香が放出されるように構成されている。これにより、洗面台利用者は、公共トイレＰＴをより快適に利用することができる。
【００６８】
デジタル・サイネージ４０は、さらに、距離センサ４６からの距離の情報に応じて音楽を再生する音響部（図示しない）を有する。音響部は、制御基板５０又はクラウド・サーバ７０に接続されている。洗面システム１及びそれを用いた広告提供システム２は、洗面台利用者が所定の距離よりも洗面台１０に接近した際には、制御基板５０又はクラウド・サーバ７０から指示されて、音響部から音楽が再生されるように構成されている。これにより、洗面台利用者は、公共トイレＰＴをより快適に利用することができる。
【００６９】
クラウド・サーバ７０の集計部７４は、距離センサ４６からの距離の情報に基づいて、洗面台１０の利用者数を算出するように構成されていてもよい。例えば、集計部７４は、距離の情報から、利用者が５０ｃｍ未満に１０秒間を超えて滞在していると判断する場合には、利用者数を＋１と算出して記録するように、構成されていてもよい。
【００７０】
管理者端末８０又はクラウド・サーバ７０は、所定の条件に適合する複数の洗面台１０について、一括して操作できるように構成されていてもよい。例えば、管理者端末８０又はクラウド・サーバ７０は、渇水地域に設置されている複数の公共トイレＰＴが備える洗面台１０について、一括して吐水量を５０％削減できる節水モードが実装されており、管理者が管理者端末８０の画面上で節水モードをＯＮにすることで、渇水地域に設置されている複数の公共トイレＰＴが備える洗面台１０について、一括して吐水量を５０％削減できる。
【００７１】
自動水栓２０は、手指を感知する情報がハンドセンサから受信しない状態となると、所定の時間経過後に、吐水を停止するように構成されているが、吐水を停止するまでの所定の時間が、管理者端末８０又はクラウド・サーバ７０によって、操作されるように構成されていてもよい。これにより、吐水停止までの時間を減少することで、洗面台１０において、手指の洗浄に供することなく消費されていた水道水量が削減されることとなる。
【符号の説明】
【００７２】
１      洗面システム
２      広告提供システム
１０    洗面台
２０    自動水栓
２２    水栓制御部
２３    電気温水器
２４    温度センサ
２５    比例制御電磁弁
２６    流量センサ
３０    ソープ・ディスペンサ
３２    ソープ液貯蔵部
３４    残量感知部
４０    デジタル・サイネージ
４２    ディスプレイ部
４４    デジタル・サイネージ制御部
４６    距離センサ
４ｈｍ  ハーフ・ミラー
５０    制御基板
７０    クラウド・サーバ
７２    情報処理部
７４    集計部
７６    判定部
７８    コンテンツ制御部
７９    ＵＲＬ指定情報
８０    管理者端末
９０    ソープ液販売業者端末
ｉｍ        映像モード
ｃｍ        ＣＭモード
ｓｍ        スクリーンセーバ・モード
ｉｍｃｉ    映像モード切替指示
ｃｍｃｉ    ＣＭモード切替指示
ｓｍｃｉ    スクリーンセーバ・モード切替指示
ｃｓｒ      コンテンツ・サーバ問合せ
ｉｉｒｉ    映像情報リクエスト指示
ｉｉｒ      映像情報リクエスト
ｉｉ        映像情報
ＰＴ    公共トイレ
【図１】
2019153071.tif 000003
【図２】
2019153071.tif 000004
【図３】
2019153071.tif 000005
【図４】
2019153071.tif 000006
【図５】
2019153071.tif 000007
【図６】
2019153071.tif 000008
【図７】
2019153071.tif 000009
【図８】
2019153071.tif 000010
【図９】
2019153071.tif 000011
【図１０】
2019153071.tif 000012
【図１１】
2019153071.tif 000013
【図１２】
2019153071.tif 000014
【図１３】
2019153071.tif 000015
【図１４】
2019153071.tif 000016
【図１５】
2019153071.tif 000017
【図１６】
2019153071.tif 000018